(57)【要約】【課題】階間調整機構が採用されたダブルデッキエレベータで、階間調整により変動するかご中間部の隙間に拘わらず、騒音の発生を抑え、乗り心地のよいダブルデッキエレベータを提供すること。【解決手段】上かご３と下かご４との間に、上かご３と下かご４との間隔調整による間隔の変位に応じて昇降方向に変位して、その間隔を塞ぐ整風装置２８、２９、３８を設ける。【選択図】　図３
2004051267.tif 000002
【特許請求の範囲】
【請求項１】
所定間隔で昇降方向に配置され一体で昇降する上かごおよび下かごと、
前記上かごと前記下かごとの間に設置され、前記上かごと下かごとの間隔調整による間隔の変位に応じて昇降方向に変位して前記間隔を塞ぐ整風装置とを具備することを特徴とするダブルデッキエレベータ。
【請求項２】
前記整風装置は、前記上かごの下部に設けられた筒状または箱状の上整風装置と前記下かごの上部に設けられた筒状または箱状の下整風装置とが入れ子状態のオーバーラップ部を形成して移動自在に組合わされていることを特徴とする請求項１記載のダブルデッキエレベータ。
【請求項３】
前記オーバーラップ部は、前記上かごと下かごとの対向する面のいずれか一方に転動自在なガイドが設けられていることを特徴とする請求項２記載のダブルデッキエレベータ。
【請求項４】
前記整風装置は、前記上かごの下部に設けられた上整風装置に設置された固定側のスライドガイドに、この固定側のスライドガイドに係合して移動する移動側のスライドガイドを具えた下整風装置が移動自在に取り付けられていることを特徴とする請求項１記載のダブルデッキエレベータ。
【請求項５】
前記上整風装置と前記下整風装置との対向面には、いずれか一方にシール材が設けられていることを特徴とする請求項１乃至請求項４のいずれかに記載のダブルデッキエレベータ。
【請求項６】
前記整風装置は、先端部が前記いずれか一方のかごに固定された可撓性部材が他方のかごに設けられた巻取機構に弾性的に捲回されて収納されていることを特徴とする請求項１記載のダブルデッキエレベータ。
【発明の詳細な説明】
【０００１】
【発明の属する技術分野】
本発明は、階間調整機構により調整のできるダブルデッキエレベータに関する。
【０００２】
【従来の技術】
一般にダブルデッキエレベータは、図８に模式構成図を示すように、建物に形成されている昇降路７１の両側壁にはそれぞれガイドレール７２が垂直に立設されており、この両ガイドレール７２の間に吊りロープ７３によって吊り下げられた乗りかご７４が配設され、その乗りかご７４はガイドレール７２に沿って昇降する。乗りかご７４は、かご枠７５とこれに載置された上かご７６と下かご７７で構成されており、かご枠７５の上梁８６と下梁８０の左右にはそれぞれ各ガイドレール７２の両側とその端面に当接して乗りかご７４の昇降の際に、転動するガイドローラ７８ａを具備した案内装置７８が設けられている。かご枠７５の中間梁７９及び下梁８０にはそれぞれ床受枠８１及び８２が敷設されており、この床受枠８１と上かご７６の底面との間及び床受枠８２と下かご７７の底面との間には、それぞれ床下防振ゴム８３を介してロードセル８４が配設され、このロードセル８４によって上かご７６及び下かご７７が支承されている。
【０００３】
上かご７６及び下かご７７の重量は、ロードセル８４によって検知され、各種の制御情報として利用される。また、上かご７及び下かご７７の下面と中間梁７９及び下梁８０との間にはそれぞれ変位計８５が設けられており、上かご７６或は下かご７７の各段階の荷重が検知される。
【０００４】
これらのダブルデッキエレベータは、単にひとつの建物を対象として用いる場合は、その建物の階間にに合わせた、階間固定式ダブルデッキエレベータが用いられるが、同一形式のダブルデッキエレベータを様々な建物に対して汎用的に用いる場合は、建物により階間の距離が異なるのに対応するために、ボールねじを用いた階間調整機構により、上かごと下かごとの距離を調整して建物の階間に適合させている。
【０００５】
【発明が解決しようとする課題】
上述のダブルデッキエレベータにおいて、上かごと下かごとの間の中間部の整風装置に関しては、階間固定式ダブルデッキエレベータの場合は、中間部の隙間部分を塞ぐように、上かごと下かごとのそれぞれに固定部材で形成された整風装置が配置される。
【０００６】
一方、階間調整機構が採用されたダブルデッキエレベータでは、階間固定式ダブルデッキエレベータのものを転用している場合が多く。その場合、階間距離が最小になる部分で、上かごと下かごとの整風装置が相互に千渉しないように配置するという程度のものであった。そのため、階間距離が最小になる部分以外では隙間が生じ、エレベータの動作時に風の巻き込みによる天井部たたき音、狭隘部の通過の際にバフ音（風切り音）が発生する。
【０００７】
本発明はこれらの事情にもとづいてなされたもので、階間調整機構が採用されたダブルデッキエレベータで、階間調整により変動するかご中間部の隙間に拘わらず、騒音の発生を抑え、乗り心地のよいダブルデッキエレベータを提供することを目的としている。
【０００８】
【課題を解決するための手段】
本発明によれば、一体で昇降する上かごと下かごとを所定間隔で昇降方向に配置したダブルデッキエレベータであって、
前記上かごと前記下かごとの間には、間隔調整による間隔の変位に応じて昇降方向に変位して該間隔を塞ぐ整風装置が設けられていることを特徴とするダブルデッキエレベータである。
【０００９】
また本発明によれば、前記整風装置は、前記上かごの下部に設けられた上整風装置と前記下かごの上部に設けられた下整風装置とが入れ子状態のオーバーラップ部を形成して移動自在に組合わされていることを特徴とするダブルデッキエレベータである。
【００１０】
また本発明によれば、前記オーバーラップ部は、前記上かごと下かごとの対向する面のいずれか一方に転動自在なガイドが設けられていることを特徴とするダブルデッキエレベータである。
【００１１】
また本発明によれば、前記整風装置は、前記上かごの下部に設けられた上整風装置に設置された固定側のスライドガイドに、この固定側のスライドガイドに係合して移動する移動側のスライドガイドを具えた下整風装置が移動自在に取り付けられていることを特徴とするダブルデッキエレベータである。
【００１２】
また本発明によれば、前記上整風装置と前記下整風装置との対向面には、いずれか一方にシール材が設けられていることを特徴とする上記のダブルデッキエレベータである。
【００１３】
また本発明によれば、前記整風装置は、先端部が前記いずれか一方のかごに固定された可撓性部材が他方のかごに設けられた巻取機構に弾性的に捲回されて収納されていることを特徴とするダブルデッキエレベータである。
【００１４】
【発明の実施の形態】
以下、本発明の実施の形態を図面を参照して説明する。
（第１の実施の形態）
図１は、ダブルデッキエレベータの昇降路との関係の概要の構成を示す模式図で、図２は、その階間調整機構の説明図である。なお、図１では、階間調整機構は省略している。
【００１５】
図１に示すように、トラクション方式のダブルデッキエレベータの乗りかご１は、外かご枠２と、この外かご枠２の内部で上下に搭載された上かご３及び下かご４とで構成されており、昇降路５の内部に立設された一対のガイドレール６、７に案内されて昇降移動する。
【００１６】
外かご枠２は、上梁８及び下梁９と、これら上下各梁８、９の左右両端部でそれぞれ固定された立枠１１、１１と、これら立枠１１、１１の中間部間に固定された中間梁１２等で構成され、乗りかご１は上梁８に設けられたヒッチプレート１３を介して、図示しない機械室内の巻上機から垂下された吊りロープ１４に連結されている。また、外かご枠２の上下には、各ガイドレール６、７の両側とその端面に当接して乗りかご１の昇降の際に、転動するガイドローラ１５ａを具備した合計４個の案内装置１５が取り付けられている。
【００１７】
なお、下梁９には、補償ロープ１６が図示しない釣り合いおもりとの間に連結され、また図示しないエレベータ制御装置から乗りかご１に電力や制御信号等を伝送するためのテールコード１７が接続されている。
【００１８】
次に、図２を参照して階間調整機構部について説明する。外かご枠２を構成している上梁８および中間梁１２には、この上梁８および中間梁１２により支持されている一対のボールねじ１８を設けられている。このボールねじ１８は、上梁８に設けられたモータを駆動源とした駆動装置１９により回転する。また、このボールねじ１８は中間梁１２に設けられたカップリング２０位置よりも図２において下部の部分は逆ねじが形成されている。従って、ボールねじ１８の回転の際には、ねじによる進行方向が逆方向になる。このボールねじ１８には、一対のボールねじ１８の回転により上下動する上下かご３、４を吊り上げている内かご上梁２１、２２が係合して設けられている。
【００１９】
また、上下かご３、４のかご立枠２３、２４には、後述する内かご用ガイドレールが設けられており、かご上梁２１、２２の上下動により上下かご３、４が上下対称に移動する際に案内する構造となっている
また、上かご３と下かご４の間には、図２では細部を省略し、下記にその実施の形態を説明する整風装置２８、２９が設けられている。
【００２０】
次に、上かご３と下かご４の間の整風装置について図３乃至図５を参照して説明する。なお、以下の説明での各図面は、整風装置とその構造的に関連する個所のみを表示している。
【００２１】
図３は、上かご３と下かご４とを分離した状態の斜視図で、図４は、上下の整風装置が組みあった状態を示す斜視図であり、図５は、上下の整風装置の摺動部の説明図である。
【００２２】
上かご３と下かご４の対向側壁（扉の設けられていない側壁）であるかご立枠２３、２４には、昇降方向にかご案内レール２５に係合して転動するローラ２６ａ、２７ａを具えた案内体２６、２７が設けられ、上かご３と下かご４とは案内体２６、２７が案内レール２５に案内されて昇降方向に移動する。上かご３の下部には、上かご３の床面の側面から下方に延在する、断面方形の角筒状または箱状の上整風装置２８が設けられている。一方、下かご４の上部には、上かご３の天井面の側面から上方に延在した、断面方形の角筒状または箱状の下整風装置２９が設けられている。図４に示したように、上整風装置２８と下整風装置２９とは上整風装置２８が寸大で入れ子状態に形成されており、上かご３と下かご４のとの距離が隣接する２つの階の階高に応じて調整された場合、常に、所定のラップ代でオーバーラップ部３１が形成されている。なお、図３に示すように、上、下整風装置２８、２９には、中間梁１２と下かご４のかご上梁２２との干渉を逃げるための切欠き３２が設けられている。
【００２３】
図５に示すように、上整風装置２８と下整風装置２９とのオーバーラップ部３１には、入れ子の外側になる上整風装置２８の内面側にボールキャスタ３３が列設されており、内側になる下整風装置２９の外面がボールに接触して転がり対偶を形成している。なお、ボールキャスタ３３は、内側になる下整風装置２９の外面側に設けて、外側となる上整風装置２８の内面と転がり対偶を形成してもよい。また、内側と外側を整風装置２８、２９で、上記の場合と逆の組合せでに配置してもよい。
【００２４】
また、整風装置２８、２９のオーバーラップ部３１のいずれか一方には、起毛シール材や低摩擦材料によるシュー等を使用したシール材３４が設けられており、それにより隙間を塞いでいる。
【００２５】
なお、上述のオーバーラップに用いたボールキャスタ３３の換わりに、不図示のローラーキャスタあるいはガイドレール等による案内構造を用いることができる。
【００２６】
これらの構造により、階間調整機構が階高に合わせるために作動させて、上下かご３、４を移動させて、その間の中間部の距離を調整したことにより、上、下整風装置２８、２９のオーバーラップ部３１のオーバーラップ量が変動した際にも、中間部の隙間を塞ぐことができる。また、階間調整機構の作動による上下整風装置２８、２９の移動も、ボールキャスタ３３等のガイドにより上、下整風装置２８、２９が円滑に摺動することができる。その際に、上下整風装置２８、２９のオーバーラップ部３１の隙間に設けたシール材３４により、隙間の部分からの風の侵入を防ぐことができるので、中間部での風の巻き込みによる騒音の発生を抑えることができる。
【００２７】
さらに梁２０、２２を通す切欠き３２の部分で風の巻き込みが生じる場合は、上下整風装置２８、２９にフックを設けて、ゴムなどの弾性膜のキャップやスクリーンで梁を含めて切欠き３２を覆うことによりシールし、風の巻き込みを防止する。
（第２の実施の形態）
図６は、上下の整風装置が組みあった状態を示す斜視図である。なお、図６において、図３と同一部機能部分には同一符号を付して、その個々の説明を省略する。
【００２８】
この実施の形態は、下整風装置２９ａの取付け方に特徴がある。すなわち、上かご３の下部に上整風装置２８ａを設けられており、また、この上整風装置２８ａの内側面には昇降方向に沿ってレール状のスライドガイド３６の固定側３６ａが設けられている。このスライドガイド３６の固定側３６ａには、この固定側３６に係合するスライドガイド３６の移動側３６ｂを具えた下整風装置２９ａが配設されている。したがって、下整風装置２９ａはスライドガイド３６により上かご３の昇降方向に移動自在に形成されおり、自重により下方に落下するので下整風装置２９ａの下端側２９ｃは、下かご４の上部に設けられた受け部３７に当接させて支持している。これにより、上かご３と下かご４との距離を調整すれば、それに応じて下整風装置２９ａと上整風装置２８ａとのオーバーラップ部３１が変化することで、上かご３と下かご４との間の中間部を、下整風装置２９ａと上整風装置２８ａにより塞ぐことができる。
【００２９】
なお、この受け部３７では下整風装置２９ａの下端側２９ｃをねじ等により固定してもよい。また、上、下整風装置２８ａ、２９ａの間の隙間には起毛シール材や低摩擦材料によるシュー等を使用したシール材３４が設けられている。
【００３０】
これらの構造により、階間調整機構が階高に合わせるために作動させて、上下かご３、４を移動させて、その間の中間部の距離を調整した結果、上下整風装置２８ａ、２９ａのオーバーラップ部３１の量が変動した際にも、中間部の隙間を塞ぐことができる。また、階間調整機構の作動による上下整風装置２８ａ、２９ａの移動も、スライドガイド３６により上下整風装置２８ａ、２９ａが円滑に摺動することができる。その際に、上下整風装置２９のオーバーラップ部３１の隙間に設けたシール材３４により、隙間部分からの風の侵入を防ぐことができるので、中間部での風の巻き込みによる騒音の発生を抑えることができる。
【００３１】
また、下整風装置２９ａを下かご４の受け部３７に固定しない場合は、下整風装置２９ａは昇降方向に移動自在であるため、調整や保守作業の際の作業性が容易になる。
（第３の実施の形態）
図７（ａ）（ｂ）は、上下の整風装置が組みあった状態を示す斜視図である。なお、図７において、図３と同一部機能部分には同一符号を付して、その個々の説明を省略する。
【００３２】
図７（ａ）において、中間部の整風装置３８にロールスクリーン方式を用いている。すなわち、先端部が上かご３の下部に固定されたゴムや布等の可撓性部材３９が下かご４の上部に設けられたロールアップ式の巻取機構４０に弾性的に捲回されて収納されている。階間調整機構の作動により上かご３と下かご４との距離を調整した際、それに応じて可撓性部材３９が巻取機構４０から繰り出されて、上かご３と下かご４との間の中間部を、可撓性部材３９により塞ぐことができる。なお、上述の場合は、可撓性部材３９の先端部を上かご３に固定、巻取機構４０を下かご４に設けたが、逆の構造、すなわち図７（ｂ）に示すように、巻取機構４１を上かご３の下部に設け、可撓性部材３９の先端部を下かご４に固定した構造にすることもできる。
【００３３】
さらに梁２０、２２がかご３、４よりも外方に突出する場合は、図７（ｂ）に示すように、可撓性部材３９にその移動方向すなわち縦方向にスリット３９ａを設けて、このスリットから突出させることにより風の巻き込みを最小限に抑えることができる。
【００３４】
これらの構造により、階間調整機構が階高に合わせるために作動させて、上下かご４を移動させて、その間の中間部の距離を調整した際に、中間部の隙間を可撓性部材３９によって塞ぐことができる。それにより、中間部での風の巻き込みによる騒音の発生を抑えることができる。
【００３５】
以上に説明したように、上述の各実施の形態によれば、建物の階高が階床によって異なり、上下かごの間の中間部の間隔がそれに対応して変化しても、それに対応した整風部材を設けているので、中間部での風の巻き込みによる天井および床部のたたき音を防ぐことができ、さらに狭隘部通過時に発生するバフ音を防ぐことができ、静かで乗り心地の良いダブルデッキエレベータを提供することができる。
【００３６】
【発明の効果】
本発明によれば、ダブルデッキエレベータにおいて、階間調整の際にも上下かごの間に設けられた整風装置により、昇降時の風切り音等の発生を抑制することができる。
【図面の簡単な説明】
【図１】第１の実施の形態のダブルデッキエレベータの昇降路との関係の概要の構成を示す模式図。
【図２】第１の実施の形態のダブルデッキエレベータの階間調整機構の略斜視図。
【図３】第１の実施の形態の略斜視図。
【図４】第１の実施の形態の略斜視図。
【図５】第１の実施の形態の一部斜視図。
【図６】第２の実施の形態の一部斜視図。
【図７】（ａ）（ｂ）は第３の実施の形態を説明する略斜視図。
【図８】従来のダブルデッキエレベータの概要の構成を示す模式図。
【符号の説明】
１…乗りかご、２…外かご枠、３…上かご、４…下かご、８…上梁、９…下梁、１２…中間梁、１８…ボールねじ、２８、２８ａ…上整風装置、２９、２９ａ…下整風装置、３１…オーバーラップ部、３４…シール材、３８…整風装置、３９…可撓性部材、４０…巻取装置
【図１】
2004051267.tif 000003
【図２】
2004051267.tif 000004
【図３】
2004051267.tif 000005
【図４】
2004051267.tif 000006
【図５】
2004051267.tif 000007
【図６】
2004051267.tif 000008
【図７】
2004051267.tif 000009
【図８】
2004051267.tif 000010